(57)【要約】【課題】催涙スプレーを容器から取り出すことにより、これと同時に防犯ブザーが連動して作動し、防犯効果の高い催涙スプレー連動型防犯ブザーを提供するものである。【解決手段】携帯容器２内に防犯ブザー１０を取付けると共に、これに隣接してバネ板６に取付けた磁石７を介して、催涙スプレー３を着脱自在に取付け、催涙スプレー３を携帯容器２から引き抜いた時に、バネ板６に取付けた磁石７が復帰して、磁石７が防犯ブザー１０の磁気センサー１１から離れることにより作動するスイッチ機構１２を設けて、催涙スプレー３を携帯容器２から取り出すことにより、これと同時に防犯ブザー１０が連動して作動するようにしたものである。  【選択図】      図２
0003184923.tif 000002
【実用新案登録請求の範囲】
【請求項１】
収納体内に防犯ブザーを取付けると共に、これに隣接してスイッチを介して催涙スプレーを着脱自在に取付け、催涙スプレーを収納体から引き抜いた時に、防犯ブザーが作動するスイッチ機構を設けたことを特徴とする催涙スプレー連動型防犯ブザー。
【請求項２】
スイッチ機構のスイッチが、催涙スプレーに隣接するバネ材に取付けた磁石と、防犯ブザーに取付けた磁気センサーとから構成され、催涙スプレーを収納体から引き抜いた時に、バネ材が復帰して、これに取付けた磁石が磁気センサーから離れて防犯ブザーのスイッチがオンするようにしたことを特徴とする請求項１記載の催涙スプレー連動型防犯ブザー。
【請求項３】
バネ材が、バネ板またはコイルバネで形成されていることを特徴とする請求項２記載の催涙スプレー連動型防犯ブザー。
【考案の詳細な説明】
【技術分野】
【０００１】
本考案は、催涙スプレーを引き抜いた時に、これに連動して作動する連動型防犯ブザーに関するものである。
【背景技術】
【０００２】
従来、催涙スプレーと防犯ブザーは独立しており、女性や子供が外出する時に個々に携帯していた。催涙スプレーは、ノズルを相手に向けて噴出ボタンを押して催涙剤を噴射することにより相手をひるませ、その間に避難するもので、周囲に異常を知らせるものではない（特許文献１）。また防犯ブザーは危険または緊急時に、ピンを本体から引き抜くことにより警報音を発生させて周囲に異常を知らせるものである（特許文献２）。
【０００３】
しかしながら、何れも別個に作動しなければならず、危険が迫っている時に、催涙スプレーの噴出ボタンを押して相手をひるませながら、防犯ブザーのピンを引き抜いて、同時に周囲に異常を知らせることは難しかった。また女性だけの家に、不審者が玄関から入ってきた時に、催涙スプレーと防犯ブザーが玄関に備えられていても、同時に作動させることも同様に難しかった。
【先行技術文献】
【特許文献】
【０００４】
【特許文献１】実用新案登録第３１０２１００号公報
【特許文献２】特開２００７一３１６４５０号公報
【考案の概要】
【考案が解決しようとする課題】
【０００５】
本考案は上記問題を改善し、催涙スプレーを容器から取り出すことにより、これと同時に防犯ブザーが連動して作動し、防犯効果の高い催涙スプレー連動型防犯ブザーを提供するものである。
【課題を解決するための手段】
【０００６】
本考案の請求項１記載の催涙スプレー連動型防犯ブザーは、収納体内に防犯ブザーを取付けると共に、これに隣接してスイッチを介して催涙スプレーを着脱自在に取付け、催涙スプレーを収納体から引き抜いた時に、防犯ブザーが作動するスイッチ機構を設けたことを特徴とするものである。
【０００７】
本考案の請求項２記載の催涙スプレー連動型防犯ブザーは、請求項１において、スイッチ機構のスイッチが、催涙スプレーに隣接するバネ材に取付けた磁石と、防犯ブザーに取付けた磁気センサーとから構成され、催涙スプレーを収納体から引き抜いた時に、バネ材が復帰して、これに取付けた磁石が磁気センサーから離れて防犯ブザーのスイッチがオンするようにしたことを特徴とするものである。
【０００８】
本考案の請求項３記載の催涙スプレー連動型防犯ブザーは、請求項２において、バネ材が、バネ板またはコイルバネで形成されていることを特徴とするものである。
【考案の効果】
【０００９】
本考案に係る請求項１記載の催涙スプレー連動型防犯ブザーによれば、催涙スプレーを容器から取り出すことにより、これと同時に防犯ブザーが連動して作動するので、催涙スプレーから催涙剤を噴射する前に警報音が鳴り始め、周囲に異常を知らせると共に、近付いて来た不審者に対して催涙剤を噴射してひるませている間に、避難することができ防犯効果の高いものである。
【００１０】
また請求項２記載の催涙スプレー連動型防犯ブザーによれば、催涙スプレーに隣接するバネ材に取付けた磁石と、防犯ブザーに取付けた磁気センサーとからスイッチ機構のスイッチが構成されているので、構造が簡単で、市販の催涙スプレーと防犯ブザーを組合せて安価に製造することができる。
【００１１】
また請求項３記載の催涙スプレー連動型防犯ブザーによれば、バネ材が、バネ板またはコイルバネで形成されているので、弾性力を利用した簡単で安価なスイッチ機構を形成することができる。
【考案を実施するための最良の形態】
【００１２】
以下本考案の実施の一形態を図１および図２を参照して詳細に説明する。図１は催涙スプレー連動型防犯ブザー１を示すもので、収納体となる上部を開口した携帯容器２の内側に催涙スプレー３が着脱自在に取付けられている。この催涙スプレー３の上部には噴射ボタン４と噴射ノズル５が設けられている。またこの催涙スプレー３の横の携帯容器２の内部には、バネ板６に磁石７を接合したスイッチ８が設けられ、催涙スプレー３の側面に弾性的に接触している。
【００１３】
また携帯容器２の内部には防犯ブザー１０が設けられ、内部の磁気センサー１１が前記スイッチ８の磁石７に近接して設けられている。この磁気センサー１１は磁石７が離れて、磁気を検出しなくなるとブザーに通電されて警報音が鳴るようになっている。このようにバネ板６と磁石７および磁気センサー１１でスイッチ機構１２が形成され、窓やドアの防犯装置と同様のものである。なお１３は携帯容器２に取付けたフックである。
【００１４】
上記構成の催涙スプレー連動型防犯ブザー１は、外出する時に携帯容器２をフック１３でバッグなどに取付ける。人気のない所で不審者が近付いて来た時に、図２に示すように、携帯容器２から催涙スプレー３を上方に引き抜くと、この側面を押していたバネ板６が復帰する。この結果、バネ板６の側面に接合した磁石７が防犯ブザー１０の磁気センサー１１から離れる。磁気センサー１１が磁気を検出しなくなると防犯ブザー１０のブザーに通電されて警報音が鳴るようになっている。
【００１５】
従って、催涙スプレー３を携帯容器２から取り出すことにより、これと同時に防犯ブザー１０が連動して作動するので、催涙スプレー３から催涙剤を噴射する前に警報音が鳴り始め、周囲に異常を知らせると共に、近付いて来た不審者に対して催涙剤を噴射してひるませている間に、避難することができ防犯効果の高いものである。
【００１６】
図３および図４は本考案の他の実施の形態を示すもので、収納体となる上部を開口した円筒状の携帯容器２の内側底部に防犯ブザー１０が設けられ、この上にバネ支持板１５が取付けられている。更にバネ支持板１５の上にはコイルバネ１６が取付けられている。このコイルバネ１６の上部は、スプレー支持板１７の底部に取付けた磁石７に連結されている。催涙スプレー３はスプレー支持板１７の上に載置されている。
【００１７】
上記構成の催涙スプレー連動型防犯ブザー１は、不審者が近付いて来た時に、図４に示すように、携帯容器２から催涙スプレー３を上方に引き抜くと、この底面のスプレー支持板１７と磁石７がコイルバネ１６の弾性により持ち上げられる。この結果、磁石７が防犯ブザー１０の磁気センサー１１から離れ、磁気センサー１１が磁気を検出しなくなると防犯ブザー１０のブザーに通電されて警報音が鳴るようになっている。従って、催涙スプレー３を携帯容器２から取り出すことにより、これと同時に防犯ブザー１０が連動して警報音が鳴り出す。
【００１８】
図５は本考案の異なる他の実施の形態を示すもので、図２に示すように携帯容器２の側面に、取付板１８が接合され、ビス１９で玄関の壁などに取付けるようにした催涙スプレー連動型防犯ブザー１である。
【００１９】
この催涙スプレー連動型防犯ブザー１は、不審者が玄関から入ってきた時に、玄関の壁などに取付けた催涙スプレー連動型防犯ブザー１の催涙スプレー３を携帯容器２から上方に引き抜くと、これに連動して防犯ブザー１０から警報音が鳴るようになっている。
【００２０】
なお上記説明ではスイッチ機構が、バネ材と磁石および磁気センサーで構成した場合について示したが、接点式のスイッチや近接スイッチなどを用いた構造でも良い。
【図面の簡単な説明】
【００２１】
【図１】本考案の実施の一形態による催涙スプレー連動型防犯ブザーの断面図である。
【図２】図１の催涙スプレーを引き抜いた状態を示す催涙スプレー連動型防犯ブザーの断面図である。
【図３】本考案の他の実施の形態による催涙スプレー連動型防犯ブザーの断面図である。
【図４】図３の催涙スプレーを引き抜いた状態を示す催涙スプレー連動型防犯ブザーの断面図である。
【図５】本考案の異なる他の実施の形態による催涙スプレー連動型防犯ブザーを壁に取付けた状態を示す正面図である。
【符号の説明】
【００２２】
１    催涙スプレー連動型防犯ブザー                          
２    携帯容器                                              
３    催涙スプレー                                          
４    噴射ボタン                                            
５    噴射ノズル                                            
６    バネ板                                                
７    磁石                                                  
８    スイッチ                                              
１０  防犯ブザー                                            
１１  磁気センサー                                          
１２  スイッチ機構                                          
１３  フック                                                
１５  バネ支持板                                            
１６  コイルバネ                                            
１７  スプレー支持板                                        
１８  取付板                                                
１９  ビス                                                  
【図１】
0003184923.tif 000003
【図２】
0003184923.tif 000004
【図３】
0003184923.tif 000005
【図４】
0003184923.tif 000006
【図５】
0003184923.tif 000007
【手続補正書】
【提出日】平成25年5月13日(2013.5.13)
【手続補正１】
【補正対象書類名】図面
【補正対象項目名】全図
【補正方法】変更
【補正の内容】
【図１】
0003184923.tif 000008
【図２】
0003184923.tif 000009
【図３】
0003184923.tif 000010
【図４】
0003184923.tif 000011
【図５】
0003184923.tif 000012